(57)【要約】【課題】コインケースの中の硬貨を外部から認識可能とし、硬貨を容易に取り出すことのできるコインケースを提供する。【解決手段】硬貨Ｃを出し入れ可能な開口部９を備えたケース本体２と、ケース本体２の一側面であるシート材３に外部からケース本体２内部の硬貨Ｃに接触可能に設けた操作穴１１とを備えたコインケース１であって、使用者が操作穴１１を介して外部からケース本体２内部の硬貨Ｃを開口部９方向へ送り出し可能とすることで、硬貨Ｃを指Ｆで外部から操作穴１１を介して開口部９へ向けて送り出すことで、硬貨Ｃを容易に開口部９から取り出すことができる。【選択図】図１
2014217437.tif 000002
【特許請求の範囲】
【請求項１】
硬貨を出し入れ可能な開口部を備えたケース本体と、
前記ケース本体の一側面に外部から前記ケース本体内部の前記硬貨に接触可能に設けた操作穴とを備えたコインケースであって、
使用者が前記操作穴を介して外部から前記ケース本体内部の前記硬貨を前記開口部方向へ送り出し可能とするものとすることを特徴とするコインケース。
【請求項２】
前記ケース本体の前記一側面を外部から前記ケース本体内部を透視可能な透視性を有する材料から形成したものとすることを特徴とする請求項１記載のコインケース。
【請求項３】
前記一側面に前記操作穴を外側から被覆可能な被覆部材を備えたことを特徴とする請求項１又は２に記載のコインケース。
【請求項４】
前記被覆部材を前記ケース本体に開閉自在に備えたことを特徴とする請求項３記載のコインケース。
【請求項５】
前記被覆部材の一方を前記ケース本体に固定し、前記被覆部材の他方を前記ケース本体に着脱自在に備えたことを特徴とする請求項４記載のコインケース。
【請求項６】
前記被覆部材を前記ケース本体に着脱自在に備えたことを特徴とする請求項３記載のコインケース。
【発明の詳細な説明】
【技術分野】
【０００１】
本発明は、硬貨を収納するコインケースに関するものである。
【背景技術】
【０００２】
従来のコインケースでは、硬貨を取り出すときにファスナー等を開け、中の硬貨が落下しないよう開口部を上にして大きく開き指で硬貨を摘み出すなどするもの（例えば、特許文献１）があった。
【先行技術文献】
【特許文献】
【０００３】
【特許文献１】実開平５−７２２２２号公報
【発明の開示】
【発明が解決しようとする課題】
【０００４】
しかし、従来のコインケースでは、硬貨を取り出すときに、材質が革等の四角形状で厚さが薄いため、中の硬貨が斜めから縦に重なっている場合が多く、硬貨別に選別し摘み出すには極めて視認性の悪い入れ物であり、摘み出す動作もスマートさの欠ける動作になるなど問題点があった。
【０００５】
そこで、本願発明は上記した問題点に鑑み、コインケースの中の硬貨を外部から認識可能とし、硬貨を容易に取り出すことのできるコインケースを提供することを目的とする。
【課題を解決するための手段】
【０００６】
請求項１の発明では、硬貨を出し入れ可能な開口部を備えたケース本体と、前記ケース本体の一側面に外部から前記ケース本体内部の前記硬貨に接触可能に設けた操作穴とを備えたコインケースであって、使用者が前記操作穴を介して外部から前記ケース本体内部の前記硬貨を前記開口部方向へ送り出し可能とするものとすることを特徴とする。
【０００７】
請求項２の発明では、前記ケース本体の前記一側面を外部から前記ケース本体内部を透視可能な透視性を有する材料から形成したものとすることを特徴とする。
【０００８】
請求項３の発明では、前記一側面に前記操作穴を外側から被覆可能な被覆部材を備えたことを特徴とする。
【０００９】
請求項４の発明では、前記被覆部材を前記ケース本体に開閉自在に備えたことを特徴とする。
【００１０】
請求項５の発明では、前記被覆部材の一方を前記ケース本体に固定し、前記被覆部材の他方を前記ケース本体に着脱自在に備えたことを特徴とする。
【００１１】
請求項６の発明では、前記被覆部材を前記ケース本体に着脱自在に備えたことを特徴とする。
【発明の効果】
【００１２】
本発明の請求項１記載の発明によれば、硬貨を指で外部から操作穴を介して開口部へ向けて送り出すことで、硬貨を容易に開口部から取り出すことができる。
【００１３】
本発明の請求項２記載の発明によれば、各種硬貨が混在するケース本体内部において取り出したい硬貨の種類を外部から容易に選別することができる。
【００１４】
本発明の請求項３記載の発明によれば、硬貨が操作穴から飛び出すことを防止できる。
【００１５】
本発明の請求項４記載の発明によれば、ケース本体内の硬貨を操作する際に、被覆部材を開いて操作穴を露出させて、露出された操作穴を指で操作するため、太い指ではケース本体と被覆部材の隙間に指を挿入し難い場合でも被覆部材を開いて操作穴から硬貨を操作することが可能となり、硬貨の操作性が向上する。また、被覆部材により操作穴を外側から被覆することで、操作穴を硬貨より大きな寸法としても、硬貨が操作穴から飛び出すことを防止できる。
【００１６】
本発明の請求項５記載の発明によれば、硬貨を取り出す際は前記被覆部材の他方を前記ケース本体から外して被覆部材を開いて操作穴を露出させて、露出された操作穴を介して硬貨を操作することで、硬貨の操作性の向上を図ることができる。一方、硬貨の取り出し以外では、前記被覆部材を閉じて前記被覆部材の他方を前記ケース本体に固定することで、硬貨が操作穴から飛び出すことを防止できる。このように、硬貨の操作性の向上と硬貨の飛び出し防止をすることができる。
【００１７】
本発明の請求項６記載の発明によれば、硬貨を取り出す際は前記被覆部材を前記ケース本体から外して操作穴を露出させて、露出された操作穴を介して硬貨を操作することで、硬貨の操作性の向上を図ることができる。一方、硬貨の取り出し以外では、前記被覆部材を前記ケース本体に固定することで、硬貨が操作穴から飛び出すことを防止できる。このように、硬貨の操作性の向上と硬貨の飛び出し防止をすることができる。また、被覆部材により操作穴を外側から被覆することで、操作穴を硬貨より大きな寸法としても、硬貨が操作穴から飛び出すことを防止できる。
【図面の簡単な説明】
【００１８】
【図１】本発明の実施例１におけるコインケースを示す斜視図である。
【図２】同上、コインケースの平面図である。
【図３】同上、コインケースの使用状態を示す斜視図である。
【図４】同上、コインケースの使用状態を示す断面図である。
【図５】本発明の実施例２におけるコインケースを示す斜視図である。
【図６】同上、コインケースの平面図である。
【図７】同上、コインケースの使用状態を示す斜視図である。
【図８】同上、コインケースの使用状態を示す断面図である。
【図９】本発明の実施例３におけるコインケースの被覆シート材を閉じた状態を示す斜視図である。
【図１０】同上、コインケースの被覆シート材を開いた状態を示す斜視図である。
【図１１】同上、コインケースの使用状態を示す断面図である。
【図１２】本発明の実施例４におけるコインケースの被覆シート材を閉じた状態を示す斜視図である。
【図１３】同上、コインケースの被覆シート材を閉じた状態を示す平面図である。
【図１４】同上、コインケースの被覆シート材を開いた状態を示す斜視図である。
【図１５】本発明の実施例５におけるコインケースの被覆シート材を装着した状態を示す斜視図である。
【図１６】同上、コインケースの被覆シート材を取り外した状態を示す斜視図である。
【発明を実施するための最良の形態】
【００１９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２０】
図１〜図４は本発明の実施例１を示しており、本実施例のコインケース１のケース本体２は、矩形状に形成された一対のシート材３,４における対向する右側辺５、左側辺６、下辺７の各３辺同士を連結して、内部を中空に備えた薄型の略袋状体に形成し、残りの対向する上辺８側に硬貨Ｃが出し入れ可能な開口部９を備えたものである。
【００２１】
一対のシート材３,４の各上辺８側には、開口部９を開閉自在として、ケース本体２内部の硬貨Ｃが外部へ飛び出すことを防止する閉塞手段１０を備えており、この閉塞手段１０として本実施例では、レールファスナーを例に説明しているが、開口部９を開閉自在とするものであれば特に限定されるものではなく、例えば線ファスナーや面ファスナー等の各種ファスナー、スナップボタン等であってもよいものとする。
【００２２】
ここで、本実施例の一対のシート材３,４は、塩化ビニール等の透明樹脂シートから形成されたものである。ここで、一対のシート材３,４については、少なくとも一方のシート材３が透視性材料、例えば材質自体が透視可能な性質を有する透明材料、着色された透明材料、及び半透明材料や、加工や製法によって透視可能な性質を有するパンチング素材、メッシュ素材、格子状素材等の多孔質材料等のようにケース本体２内部の様子を透視可能な材質であれば特に限定されるものではないが、革程度の剛性を有することが好ましい。
【００２３】
また、ケース本体２の片側面を形成する一方のシート材３には、外部からケース本体２内部の硬貨Ｃが操作可能な複数の操作穴１１を備えている。
【００２４】
操作穴１１は、その長手方向Ｘを一方のシート材３の下辺７から上辺８側の開口部９に向けて配設された長孔状の貫通孔とする。さらに、操作穴１１の長手方向Ｘにおける両端は円形に形成されている。
【００２５】
ここで、本実施例の操作穴１１はケース本体２内部の硬貨Ｃが飛び出さない形状に形成されることが好ましく、操作穴１１の長手方向Ｘの寸法Ｌ１と短手方向Ｙの寸法Ｌ２を一円硬貨、五円硬貨、十円硬貨、百円硬貨、五十円硬貨、百円硬貨、五百円硬貨等のいずれかの各種硬貨Ｃの直径Ｄより小さく形成している（Ｌ２＜Ｌ１＜Ｄ）。
【００２６】
本実施例では、長手方向Ｘに所定間隔を有して複数の操作穴１１を並設した列を、操作穴１１の長手方向Ｘと直行する方向（短手方向Ｙ）に沿って所定間隔を有して複数並設している。
【００２７】
以上の構成のコインケース１の使用方法について説明する。まず、シート体３の透視性を活かしてケース本体２に収納された各種硬貨Ｃの種類を外部から選別する。次に、閉塞手段１０を解除した際に開口部９から硬貨Ｃが落ちないように開口部９を上向きにしてケース本体２を水平方向に対して斜めとして、先ほど選択した硬貨Ｃ（以下、選択硬貨Ｃｓという）を外部から操作穴１１を介して指Ｆでコインケース１の開口部９近くに送り出し、開口部９近くまで送り出された選択硬貨Ｃｓを閉塞手段１０が解除されて開放された開口部９から摘み取り出す。
【００２８】
以上のように本実施例では請求項１に対応しており、硬貨Ｃを出し入れ可能な開口部９を備えたケース本体２と、ケース本体２の一側面であるシート材３に外部からケース本体２内部の硬貨Ｃに接触可能に設けた操作穴１１とを備えたコインケース１であって、使用者が操作穴１１を介して外部からケース本体２内部の硬貨Ｃを開口部９方向へ送り出し可能とすることで、硬貨Ｃを指Ｆで外部から操作穴１１を介して開口部９へ向けて送り出すことで、硬貨Ｃを容易に開口部９から取り出すことができる。
【００２９】
また本実施例は請求項２に対応しており、ケース本体２の一側面であるシート材３を外部からケース本体２内部を透視可能な透視性を有する材料から形成したことにより、一円硬貨、五円硬貨、十円硬貨、百円硬貨、五十円硬貨、百円硬貨、五百円硬貨等の各種硬貨Ｃが混在するケース本体２内部において取り出したい硬貨の種類を外部から容易に選別することができる。
【００３０】
実施例上の効果として、操作穴１１の長手方向Ｘが選択硬貨Ｃｓを送り出す方向に向けて配設されたことで、操作穴１１を介して外部から指Ｆで選択硬貨Ｃｓを送り出すスライド量が確保されるため、操作穴１１を介して選択硬貨Ｃｓを送り出す操作性が向上する。
【００３１】
また、操作穴１１の長手方向Ｘにおける両端を円形に形成したことで、操作穴１１の長手方向Ｘにおける両端付近での操作穴１１を介しての指Ｆと選択硬貨Ｃｓとの接触面積が確保されるため、操作穴１１の長手方向Ｘの下辺７側の端部から上辺８側である開口部９側の端部にかけて、確実に指Ｆで選択硬貨Ｃｓを送り出すことができるため、操作穴１１を介して選択硬貨Ｃｓを送り出す操作性がさらに向上する。
【００３２】
操作穴１１の長手方向Ｘの寸法Ｌ１と短手方向Ｙの寸法Ｌ２を各種硬貨Ｃの直径Ｄより小さく形成したことで（Ｌ２＜Ｌ１＜Ｄ）、操作穴１１からケース本体２内部の硬貨Ｃが飛び出すことを防止している。
【実施例２】
【００３３】
図５〜図８は、本発明の実施例２を示すものである。同図において、図１〜図４と同一部分には同一符号を付し、その共通する部分の詳細な説明は省略する。本実施例の操作穴１２は、その長手方向Ｘを一方のシート材３の下辺７から上辺８側の開口部９に向けて配設された長孔状の貫通孔とする。さらに、操作穴１１の長手方向Ｘにおける両端は円形に形成されている。
【００３４】
また、操作穴１２は、操作穴１２の長手方向Ｘの寸法Ｌ３を一円硬貨、五円硬貨、十円硬貨、百円硬貨、五十円硬貨、百円硬貨、五百円硬貨等のいずれかの各種硬貨Ｃの直径Ｄとほぼ同等、又は直径Ｄより大きく形成し、短手方向Ｙの寸法Ｌ４を前記各種硬貨Ｃの直径Ｄより小さく形成している（Ｌ４＜Ｄ≦Ｌ３）。
【００３５】
一方のシート材３の上面は、一方のシート材３の右側辺５から左側辺６にかけて架設された被覆シート材１３によって被覆されている。この被覆シート材１３によって、操作穴１２は外部に露出していない。
【００３６】
尚、被覆シート材１３は一方のシート材３と同様、塩化ビニール等の透明樹脂シートから形成されたものであり、少なくとも透視性を有する材料、例えば材質自体が透視性を有する透明材料、着色された透明材料、及び半透明材料等や、加工や製法によって透視性を有するパンチング素材、メッシュ素材、格子状素材等の多孔質材料等のようにケース本体２内部の様子を透視可能な材質であれば特に限定されるものではないが、革程度の剛性を有することが好ましい。
【００３７】
また、この被覆シート材１３と一方のシート材３との間を押し広げて隙間Ｓを形成することが可能な構成としており、この押し広げて形成された隙間Ｓに使用者の手Ｈを挿入して、操作穴１２を介しての選択硬貨Ｃｓの送り出し操作を行うものである。
【００３８】
さらに、この被覆シート材１３の開口部９側とは反対側の手Ｈを入れる側の縁部分には、被覆シート材１３を折り返して重ねて厚みを増加させた厚肉部１４を設けている。この厚肉部１４の断面形状は、被覆シート材１３を折り返した際に形成された半円弧状とする。
【００３９】
以上の構成のコインケース１の使用方法について説明する。まず、シート体３及び被覆シート材１３の透視性を活かしてケース本体２に収納された各種硬貨Ｃの種類を外部から選別する。次に、閉塞手段１０を解除した際に開口部９から硬貨Ｃが落ちないように開口部９を上向きにしてケース本体２を水平方向に対して斜めとして、被覆シート材１３と一方のシート材３との間を押し広げて形成した隙間Ｓに使用者の手Ｈを挿入して、先ほど選択した硬貨Ｃ（以下、選択硬貨Ｃｓという）を外部から操作穴１２を介して指Ｆでコインケース１の開口部９近くに送り出し、開口部９近くまで送り出された選択硬貨Ｃｓを閉塞手段１０が解除されて開放された開口部９から摘み取り出す。
【００４０】
以上のように本実施例では、請求項１に対応しており、硬貨Ｃを出し入れ可能な開口部９を備えたケース本体２と、ケース本体２の一側面であるシート材３に外部からケース本体２内部の硬貨Ｃに接触可能に設けた操作穴１２とを備えたコインケース１であって、使用者が操作穴１２を介して外部からケース本体２内部の硬貨Ｃを開口部９方向へ送り出し可能とすることで、硬貨Ｃを指で外部から操作穴１２を介して開口部９へ向けて送り出すことで、硬貨Ｃを容易に開口部９から取り出すことができる。
【００４１】
また本実施例は請求項２に対応しており、ケース本体２の一側面であるシート材３を外部から前記ケース本体２内部を透視可能な透視性を有する材料から形成したことにより、各種硬貨Ｃが混在するケース本体２内部において取り出したい硬貨Ｃの種類を外部から容易に選別することができる。
【００４２】
さらに本実施例は請求項３に対応しており、シート材３に操作穴１２を外側から被覆可能な被覆部材である被覆シート材１３を備えたことにより、硬貨Ｃが操作穴１２から飛び出すことを防止できる。
【００４３】
実施例上の効果として、操作穴１２の長手方向Ｘが選択硬貨Ｃｓを送り出す方向に向けて配設されたことで、操作穴１２を介して外部から指で選択硬貨Ｃｓを送り出すスライド量が確保されるため、操作穴１２を介して選択硬貨Ｃｓを送り出す操作性が向上する。
【００４４】
また、操作穴１２の長手方向Ｘにおける両端を円形に形成したことで、操作穴１２の長手方向Ｘにおける両端付近での操作穴１２を介しての指Ｆと選択硬貨Ｃｓとの接触面積が確保されるため、操作穴１２の長手方向Ｘの下辺７側の端部から上辺８側である開口部９側の端部にかけて、しっかり指Ｆで選択硬貨Ｃｓを送り出すことができるため、操作穴１２を介して選択硬貨Ｃｓを送り出す操作性がさらに向上する。
【００４５】
さらに、操作穴１２の長手方向Ｘの寸法Ｌ３を硬貨Ｃの直径Ｄとほぼ同等、又は直径Ｄより大きく形成したことで（Ｄ≦Ｌ３）、操作穴１２を介して外部から指で選択硬貨Ｃｓを送り出すスライド量がより一層確保されるため、操作穴１２を介して選択硬貨Ｃｓを送り出す操作性がさらに向上する。
【００４６】
また、操作穴１２の短手方向Ｙの寸法Ｌ４を硬貨Ｃの直径Ｄより小さく形成したことで（Ｌ４＜Ｄ）、操作穴１２からケース本体２内部の硬貨Ｃが飛び出すことを防止している。
【００４７】
被覆シート材１３の手Ｈを入れる側の縁部分に断面半円弧状の厚肉部１４を設けることで、被覆シート材１３の手Ｈを入れる側の縁部分によって指先を痛めたりすることを防止することができる。
【実施例３】
【００４８】
図９〜図１１は、本発明の実施例３を示すものである。同図において、図１〜図８と同一部分には同一符号を付し、その共通する部分の詳細な説明は省略する。
【００４９】
本実施例の被覆シート材１５は、被覆シート材１５の一方を一方のシート材３の右側辺５側に固定された固定部１５Ａとするとともに、被覆シート材１５の他方を可動部１５Ｂとして一方のシート材３に揺動自在に備えている。
【００５０】
ここで、被覆シート材１５の可動部１５Ｂは、一方のシート材３の左側辺６側に固定手段１６を介して着脱自在に設けられている。
【００５１】
そして、前記可動部１５Ｂの固定手段１６による一方のシート材３との固定を解除して、固定部１５Ａを回動軸として被覆シート材１５を開くと、一方のシート材３の操作穴１２が外部に露出可能に設けられている。
【００５２】
前記固定手段１６はスナップボタンを採用しており、被覆シート材１５の他方又は一方のシート材３の左側辺６側の一方に備えた複数の凹部１６Ａと、被覆シート材１５の他方又は一方のシート材３の左側辺６側の他方に備えた複数の凸部１６Ｂとを嵌合可能に備えている。尚、固定手段１６はスナップボタンに限定されず、線ファスナーや面ファスナーとしてもよいものとする。
【００５３】
また、本実施例の被覆シート材１５は、前記実施例１の被覆シート材１３と同様の透明材料や半透明材料に限定されるものではなく、不透明材料としてもよい。
【００５４】
以上の構成のコインケース１の使用方法について説明する。まず、前記可動部１５Ｂの固定手段１６による一方のシート材３との固定を解除して、固定部１５Ａを回動軸として被覆シート材１５を開き、一方のシート材３の操作穴１２を外部に露出する。次に、閉塞手段１０を解除した際に開口部９から硬貨Ｃが落ちないように開口部９を上向きにしてケース本体２を水平方向に対して斜めとして、選択硬貨Ｃｓを外部から操作穴１２を介して指Ｆでコインケース１の開口部９近くに送り出し、開口部９近くまで送り出された選択硬貨Ｃｓを閉塞手段１０が解除されて開放された開口部９から摘み取り出す。
【００５５】
選択硬貨Ｃsを取り出す以外のコインケース１では、固定部１５Ａを回動軸として被覆シート材１５を閉じて、固定手段１６によって被覆シート材１５の可動部１５Ｂを一方のシート材３に固定する。このようにして、被覆シート材１５により一方のシート材３の操作穴１２を被覆する。
【００５６】
以上のように本実施例の着脱開閉式コイン抜け出し防止用の被覆シート材１５は、被覆シート材１５の一方をコインケース１の一方のシート材３に固定し、被覆シート材１５の他方を一方のシート材３に着脱自在にさせ開閉可能としたものであり、硬貨Ｃｓを操作する際に被覆シート材１５を開いて操作穴１２を露出させて指Ｆで操作穴１２を操作する。被覆シート材１５の他方に備えた固定部１５Ａの取り外しは、スナップボタン、線ファスナー、面ファスナーなどの固定手段１６で行うため着脱が容易となる。
【００５７】
これによって、太い指Ｆではケース本体２と被覆シート材１５の隙間に指Ｆを挿入し難い場合など、被覆シート材１５を開くことにより硬貨Ｃｓの操作性を向上させたものである。
【００５８】
被覆シート材１５の部材は透明でも不透明でもよい。つまり、被覆シート材１５を開くことにより、透明なコインケース１はケース本体２外側から、不透明なコインケース１は操作穴１２から、それぞれ硬貨Ｃsを視認できるからである。よって、コインケース１のケース本体２も不透明な部材でもよい。
【００５９】
また、被覆シート材１５の開閉だけでケース本体２と被覆シート材１５の隙間に指Ｆの挿入が必要ない構造であれば、被覆シート材１５は柔軟な部材に限定されず多少硬質な部材であってもよい。
【００６０】
着脱開閉可能な被覆シート材１５は、被覆シート材１５とケース本体３との隙間に指を挿入する必要が無く操作穴１２からの硬貨Ｃsの抜け出し防止するだけなので、操作穴１２の大きさに合わせた操作穴１２への被覆シート材１５を固定手段１６で留めることができるので、操作穴１２を大きくして操作性を向上することが可能となる。
【００６１】
尚、本実施例のコインケース１では硬貨Ｃｓを硬貨Ｃｓより大きな形状の操作穴１２から直接つまみ出すこともできる。
【００６２】
また、本実施例のコインケース１では、前記実施例１及び２のコインケース１と同様、被覆シート材１５を開閉せずに被覆シート材１５とケース本体２との隙間に指Ｆを挿入して操作穴１２から硬貨Ｃｓを操作することもできるため、コインケース１の使用方法の選択肢が増える。
【００６３】
以上のように、本実施例のコインケース１では、被覆部材である被覆シート材１５をケース本体２に開閉自在に備えており、ケース本体２内の硬貨Ｃｓを操作する際に、被覆シート材１５を開いて操作穴１２を露出させて、露出された操作穴１２を指Ｆで操作するため、太い指Ｆではケース本体２と被覆シート材１５の隙間に指Ｆを挿入し難い場合でも被覆シート材１５を開いて操作穴１２から硬貨Ｃｓを操作することが可能となり、硬貨Ｃｓの操作性が向上する。また、被覆シート材１５により操作穴１２を外側から被覆することで、操作穴１２を硬貨Ｃｓより大きな寸法としても、硬貨Ｃｓが操作穴１２から飛び出すことを防止できる。
【００６４】
また、本実施例のコインケース１では、被覆シート材１５の一方をケース本体２に固定し、被覆シート材１５の他方をケース本体２に着脱自在に備えており、硬貨Ｃｓを取り出す際は被覆シート材１５の他方をケース本体２から外して被覆シート材１５を開いて操作穴１２を露出させて、露出された操作穴１２を介して硬貨Ｃｓを操作することで、硬貨Ｃｓの操作性の向上を図る。一方、硬貨Ｃｓの取り出し以外では、被覆シート材１５を閉じて被覆シート材１５の他方をケース本体２に固定することで、硬貨Ｃｓが操作穴１２から飛び出すことを防止できる。このように、硬貨Ｃｓの操作性の向上と硬貨Ｃｓの飛び出し防止をすることができる。
【実施例４】
【００６５】
図１２〜図１４は、本発明の実施例４を示すものである。同図において、図１〜図１１と同一部分には同一符号を付し、その共通する部分の詳細な説明は省略する。本実施例のコインケース１では、左右一対に備えた被覆シート材１７、１８のそれぞれの一方を、一方のシート材３の中央部分に固定された固定部１７Ａ、１８Ａとするとともに、各被覆シート材１７、１８の他方を可動部１７Ｂ、１８Ｂとして一方のシート材３に揺動自在に備えている。
【００６６】
ここで、被覆シート材１７の可動部１７Ｂは、一方のシート材３の右側辺５側に固定手段１９を介して着脱自在に設けられている。また、被覆シート材１８の可動部１８Ｂは、一方のシート材３の左側辺６側に固定手段２０を介して着脱自在に設けられている。
【００６７】
そして、前記可動部１７Ｂの固定手段１９による一方のシート材３との固定を解除して、固定部１７Ａを回動軸として被覆シート材１７を開くと、一方のシート材３の操作穴１２が外部に露出可能に設けられている。また、前記可動部１８Ｂの固定手段２０による一方のシート材３との固定を解除して、固定部１８Ａを回動軸として被覆シート材１８を開くと、一方のシート材３の操作穴１２が外部に露出可能に設けられている。
【００６８】
前記固定手段１９はスナップボタンを採用しており、被覆シート材１７の他方又は一方のシート材３の右側辺５側の一方に備えた複数の凹部１９Ａと、被覆シート材１７の他方又は一方のシート材３の右側辺５側の他方に備えた複数の凸部１９Ｂとを嵌合可能に備えている。
【００６９】
また、前記固定手段２０はスナップボタンを採用しており、被覆シート材１８の他方又は一方のシート材３の左側辺６側の一方に備えた複数の凹部２０Ａと、被覆シート材１８の他方又は一方のシート材３の左側辺６側の他方に備えた複数の凸部２０Ｂとを嵌合可能に備えている。尚、固定手段１９、２０はスナップボタンに限定されず、線ファスナーや面ファスナーとしてもよいものとする。
【００７０】
また、本実施例の被覆シート材１７、１８は、前記実施例１の被覆シート材１３と同様の透明材料や半透明材料に限定されるものではなく、不透明材料としてもよい。
【００７１】
以上の構成のコインケース１の使用方法について説明する。まず、一方の被覆シート材１７を開いて操作穴１２を露出させるには、前記可動部１７Ｂの固定手段１９による一方のシート材３との固定を解除して、固定部１７Ａを回動軸として被覆シート材１７を開き、一方のシート材３の操作穴１２を外部に露出する。また、他方の被覆シート材１８を開いて操作穴１２を露出させるには、前記可動部１８Ｂの固定手段２０による一方のシート材３との固定を解除して、固定部１８Ａを回動軸として被覆シート材１８を開き、一方のシート材３の操作穴１２を外部に露出する。
【００７２】
次に、閉塞手段１０を解除した際に開口部９から硬貨Ｃが落ちないように開口部９を上向きにしてケース本体２を水平方向に対して斜めとして、選択硬貨Ｃｓを外部から操作穴１２を介して指Ｆでコインケース１の開口部９近くに送り出し、開口部９近くまで送り出された選択硬貨Ｃｓを閉塞手段１０が解除されて開放された開口部９から摘み取り出す。
【００７３】
選択硬貨Ｃsを取り出す以外のコインケース１では、固定部１７Ａを回動軸として被覆シート材１７を閉じて、固定手段１９によって被覆シート材１７の可動部１７Ｂを一方のシート材３に固定する。また、固定部１８Ａを回動軸として被覆シート材１８を閉じて、固定手段２０によって被覆シート材１８の可動部１８Ｂを一方のシート材３に固定する。このようにして、被覆シート材１７、１８により一方のシート材３の操作穴１２を被覆する。
【００７４】
以上のように本実施例の着脱開閉式コイン抜け出し防止用の被覆シート材１７、１８は、被覆シート材１７、１８の一方をコインケース１の一方のシート材３に固定し、被覆シート材１７、１８の他方を一方のシート材３に着脱自在にさせ開閉可能としたものであり、硬貨Ｃｓを操作する際に被覆シート材１７、１８を開いて操作穴１２を露出させて指Ｆで操作穴１２を操作する。被覆シート材１７、１８の他方に備えた固定部１７Ａ、１８Ａの取り外しは、スナップボタン、線ファスナー、面ファスナーなどの固定手段１９、２０で行うため着脱が容易となる。
【００７５】
これによって、太い指Ｆではケース本体２と被覆シート材１７、１８の隙間に指Ｆを挿入し難い場合など、被覆シート材１７、１８を開くことにより硬貨Ｃｓの操作性を向上させたものである。
【００７６】
被覆シート材１７、１８の部材は透明でも不透明でもよい。つまり、被覆シート材１７、１８を開くことにより、透明なコインケース１はケース本体２外側から、不透明なコインケース１は操作穴１２から、それぞれ硬貨Ｃを視認できるからである。よって、コインケース１のケース本体２も不透明な部材でもよい。
【００７７】
また、被覆シート材１７、１８の開閉だけでケース本体２と被覆シート材１７、１８の隙間に指Ｆの挿入が必要ない構造であれば、被覆シート材１７、１８は柔軟な部材に限定されず多少硬質な部材であってもよい。
【００７８】
着脱開閉可能な被覆シート材１７、１８は、被覆シート材１７、１８とケース本体３との隙間に指Ｆを挿入する必要が無く操作穴１２からの硬貨Ｃの抜け出し防止するだけなので、操作穴１２の大きさに合わせた操作穴１２への被覆シート材１７、１８を固定手段１９、２０で留めることができるので、操作穴１２を大きくして操作性を向上することが可能となる。
【００７９】
尚、本実施例のコインケース１では硬貨Ｃを硬貨Ｃより大きな形状の操作穴１２から直接つまみ出すこともできる。
【００８０】
また、本実施例のコインケース１では、前記実施例１及び２のコインケース１と同様、被覆シート材１７、１８を開閉せずに被覆シート材１７、１８とケース本体２との隙間に指Ｆを挿入して操作穴１２から硬貨Ｃｓを操作することもできるため、コインケース１の使用方法の選択肢が増える。
【００８１】
以上のように、本実施例のコインケース１では、被覆部材である被覆シート材１７、１８をケース本体２に開閉自在に備えており、ケース本体２内の硬貨Ｃｓを操作する際に、被覆シート材１７、１８を開いて操作穴１２を露出させて、露出された操作穴１２を指Ｆで操作するため、太い指Ｆではケース本体２と被覆シート材１７、１８の隙間に指Ｆを挿入し難い場合でも被覆シート材１７、１８を開いて操作穴１２から硬貨Ｃｓを操作することが可能となり、硬貨Ｃｓの操作性が向上する。また、被覆シート材１７、１８により操作穴１２を外側から被覆することで、操作穴１２を硬貨Ｃｓより大きな寸法としても、硬貨Ｃｓが操作穴１２から飛び出すことを防止できる。
【００８２】
また、本実施例のコインケース１では、被覆シート材１７、１８の一方をケース本体２に固定し、被覆シート材１７、１８の他方をケース本体２に着脱自在に備えており、硬貨Ｃｓを取り出す際は被覆シート材１７、１８の他方をケース本体２から外して被覆シート材１７、１８を開いて操作穴１２を露出させて、露出された操作穴１２を介して硬貨Ｃｓを操作することで、硬貨Ｃｓの操作性の向上を図る。一方、硬貨Ｃｓの取り出し以外では、被覆シート材１７、１８を閉じて被覆シート材１７、１８の他方をケース本体２に固定することで、硬貨Ｃｓが操作穴１２から飛び出すことを防止できる。このように、硬貨Ｃｓの操作性の向上と硬貨Ｃｓの飛び出し防止をすることができる。
【実施例５】
【００８３】
図１５及び図１６は、本発明の実施例５を示すものである。同図において、図１〜図１４と同一部分には同一符号を付し、その共通する部分の詳細な説明は省略する。本実施例の被覆シート材２１は、一方のシート材３の操作穴１２を被覆可能に備えたものである。この被覆シート材２１によって、操作穴１２は外部に露出していない。
【００８４】
ここで、被覆シート材２１は、一方のシート材３における操作穴１２の周囲と固定手段２２を介して着脱自在に設けられている。
【００８５】
そして、固定手段２２による被覆シート材２１と一方のシート材３との固定を解除して、被覆シート材２１を一方のシート材３から取り外すと、一方のシート材３の操作穴１２が外部に露出可能に設けられている。
【００８６】
前記固定手段２２はスナップボタンを採用しており、被覆シート材１５又は一方のシート材３の操作穴１２の周囲に備えた複数の凹部２２Ａと、被覆シート材１５又は一方のシート材３の操作穴１２の周囲に備えた複数の凸部２２Ｂとを嵌合可能に備えている。尚、固定手段２２はスナップボタンに限定されず、線ファスナーや面ファスナーとしてもよいものとする。
【００８７】
また、本実施例の被覆シート材２１は、前記実施例１の被覆シート材１３と同様の透明材料や半透明材料に限定されるものではなく、不透明材料としてもよい。
【００８８】
以上の構成のコインケース１の使用方法について説明する。まず、固定手段１６による被覆シート材２１と一方のシート材３との固定を解除して、被覆シート材２１を一方のシート材３から取り外し、一方のシート材３の操作穴１２を外部に露出する。次に、閉塞手段１０を解除した際に開口部９から硬貨Ｃが落ちないように開口部９を上向きにしてケース本体２を水平方向に対して斜めとして、選択硬貨Ｃｓを外部から操作穴１２を介して指Ｆでコインケース１の開口部９近くに送り出し、開口部９近くまで送り出された選択硬貨Ｃｓを閉塞手段１０が解除されて開放された開口部９から摘み取り出す。
【００８９】
選択硬貨Ｃsを取り出す以外のコインケース１では、固定手段２２によって被覆シート材２１を一方のシート材３に固定する。このようにして、被覆シート材２１により一方のシート材３の操作穴１２を被覆する。
【００９０】
以上のように本実施例の全着脱式コイン抜け出し防止用の被覆シート材２１は、被覆シート材２１を一方のシート材３に全着脱可能としたものであり、硬貨Ｃsを操作する際に被覆シート材１５を取り外して操作穴１２を露出させて指Ｆで操作穴１２を操作する。被覆シート材２１の取り外しは、スナップボタン、線ファスナー、面ファスナーなどの固定手段２２で行うため着脱が容易となる。これによって、被覆シート材１５を取り外すことにより硬貨Ｃsの操作性を向上させたものである。
【００９１】
被覆シート材２１の部材は透明でも不透明でもよい。被覆シート材２１を取り外すことにより、透明なコインケース１はケース本体２外側から、不透明なコインケース１は操作穴１２からそれぞれ硬貨Ｃsを視認できるからである。よって、コインケース１のケース本体２も不透明な部材でもよい。
【００９２】
また、被覆シート材２１の開閉だけでケース本体２と被覆シート材２１の隙間に指Ｆの挿入が必要ない構造であれば、被覆シート材２１は柔軟な部材にこだわらず多少硬質な部材であってもよい。
【００９３】
全着脱可能な被覆シート材２１は、被覆シート材２１とケース本体３との隙間に指Ｆを挿入する必要が無く操作穴１２からの硬貨Ｃの抜け出しを防止するだけなので、操作穴１２の大きさに合わせた操作穴１２への被覆シート材２１の四方をファスナー等の固定手段２２で留めることができるので、操作穴１２を大きくして操作性を向上することが可能となる。
【００９４】
尚、本実施例のコインケース１では硬貨Ｃを硬貨Ｃより大きな形状の操作穴１２から直接つまみ出すこともできる。
【００９５】
尚、本実施例のコインケース１では、前記実施例１及び２のコインケース１と同様、被覆シート材２１を取り外さずに被覆シート材１５とケース本体２との隙間に指Ｆを挿入して操作穴１２から硬貨Ｃsを操作することもできるため、使用方法の選択肢が増える。
【００９６】
以上のように本実施例のコインケース１では、被覆部材である被覆シート材２１をケース本体２に着脱自在に備えたことにより、硬貨Ｃｓを取り出す際は被覆シート材２１をケース本体２から外して操作穴１２を露出させて、露出された操作穴１２を介して硬貨Ｃｓを操作することで、硬貨Ｃｓの操作性の向上を図る。一方、硬貨Ｃｓの取り出し以外では、被覆シート材２１をケース本体２に固定することで、硬貨Ｃが操作穴１２から飛び出すことを防止できる。このように、硬貨Ｃｓの操作性の向上と硬貨Ｃの飛び出し防止をすることができる。また、被覆シート材２１により操作穴１２を外側から被覆することで、操作穴１２を硬貨Ｃより大きな寸法としても、硬貨Ｃが操作穴１２から飛び出すことを防止できる。
【００９７】
本発明は、前記実施例に限定されるものではなく、本発明の要旨の範囲内で種々の変形実施が可能である。例えば、ケース本体の形状や構造については適宜変更可能である。また、前記固定手段としては、磁石により着脱自在としたものでもよいものとする。
【符号の説明】
【００９８】
１  コインケース
２  ケース本体
９  開口部
１１  操作穴（貫通部）
１２  操作穴（貫通部）
１３  被覆シート材（被覆部材）
Ｃ、Ｃｓ  硬貨
【図１】
2014217437.tif 000003
【図２】
2014217437.tif 000004
【図３】
2014217437.tif 000005
【図４】
2014217437.tif 000006
【図５】
2014217437.tif 000007
【図６】
2014217437.tif 000008
【図７】
2014217437.tif 000009
【図８】
2014217437.tif 000010
【図９】
2014217437.tif 000011
【図１０】
2014217437.tif 000012
【図１１】
2014217437.tif 000013
【図１２】
2014217437.tif 000014
【図１３】
2014217437.tif 000015
【図１４】
2014217437.tif 000016
【図１５】
2014217437.tif 000017
【図１６】
2014217437.tif 000018